(57)【特許請求の範囲】
【請求項１】
送信元移動体通信装置（ＭＯｘ、ＭＯ１）に保存されている少なくとも１つのアプリケーション（ＡＰＰ１、ＡＰＰ２、ＡＰＰｘ、ＡＰＰ４）を、送信先移動体通信装置（ＭＯ１、ＭＯｘ）と共有したり、または送信先移動体通信装置（ＭＯ１、ＭＯｘ）に再販したりする方法であって、
送信元移動体通信装置（ＭＯｘ、ＭＯ１）で、共有／再販されるアプリケーション（ＡＰＰ１、ＡＰＰ２、ＡＰＰｘ、ＡＰＰ４）および送信先移動体通信装置（ＭＯ１、ＭＯｘ）についての情報を含む共有または再販の要求（ＳＲ）をトラステッドサービスマネジャ（ＴＳＭ）に送信することと、
トラステッドサービスマネジャ（ＴＳＭ）で、要求（ＳＲ）から共有／再販されるアプリケーション（ＡＰＰ１、ＡＰＰ２、ＡＰＰｘ、ＡＰＰ４）および送信先移動体通信装置（ＭＯ１、ＭＯｘ）を抽出し、少なくとも１つのアプリケーションがインストールされている少なくとも１つの移動体通信装置（ＭＯ１、ＭＯｘ）、および前記少なくとも１つのアプリケーションを提供した少なくとも１つのサービスプロバイダ（ＳＰ１、ＳＰ２、ＳＰｘ）に関連付けられた少なくとも１つのアプリケーション（ＡＰＰ１、ＡＰＰ２、ＡＰＰｘ、ＡＰＰ４）についての情報を含むリポジトリ（ＲＥＰ）に接続し、リポジトリ（ＲＥＰ）から共有／再販されるアプリケーションを提供したサービスプロバイダ（ＳＰ１、ＳＰ２、ＳＰｘ）を検索し、アプリケーション（ＡＰＰ１、ＡＰＰ２、ＡＰＰｘ、ＡＰＰ４）の送信先移動体通信装置（ＭＯ１、ＭＯｘ）への再販または送信先移動体通信装置（ＭＯ１、ＭＯｘ）との共有が可能かどうかを照会するクエリ（ＱＵ）を前記サービスプロバイダ（ＳＰ１、ＳＰ２、ＳＰｘ）に送信することと、
サービスプロバイダ（ＳＰ１、ＳＰ２、ＳＰｘ）で、アプリケーション（ＡＰＰ１、ＡＰＰ２、ＡＰＰｘ、ＡＰＰ４）を送信先移動体通信装置（ＭＯ１、ＭＯｘ）と共有したり、または送信先移動体通信装置（ＭＯ１、ＭＯｘ）に再販したりすることが可能かどうかを確認することにより前記クエリ（ＱＵ）を処理し、肯定の場合には、共有／再販されるアプリケーションの適合バージョン（ＡＰＰｘ’）を含むインストール要求（ＩＮＳＴ）をトラステッドサービスマネジャ（ＴＳＭ）に送信し、送信元移動体通信装置（ＭＯｘ、ＭＯ１）で共有／再販されるアプリケーションとの進め方を指示する更新命令（ＵＰＤ）をトラステッドサービスマネジャ（ＴＳＭ）に送信することと、
トラステッドサービスマネジャ（ＴＳＭ）で、アプリケーション（ＡＰＰｘ’）の適合バージョンをセットアップメッセージ（ＳＵ）にコンパイルして、送信先移動体通信装置（ＭＯ１、ＭＯｘ）に送信し、更新命令（ＵＰＤ）を送信元移動体通信装置（ＭＯｘ、ＭＯ１）に送信し、サービスプロバイダ（ＳＰ１、ＳＰ２、ＳＰｘ）のインストール命令（ＩＮＳＴ）および更新命令（ＵＰＤ）に従ってリポジトリ（ＲＥＰ）を更新することと、
送信先移動体通信装置（ＭＯ１、ＭＯｘ）で、セットアップメッセージ（ＳＵ）に従ってアプリケーション（ＡＰＰｘ’）の適合バージョンをインストールすることと、
送信元移動体通信装置（ＭＯｘ、ＭＯ１）で、更新命令（ＵＰＤ）に従って保存されたアプリケーション（ＡＰＰ１、ＡＰＰ２、ＡＰＰｘ、ＡＰＰ４）を更新することとを含む、方法。
【請求項２】
少なくとも１つのサービスプロバイダ（ＳＰ１、ＳＰ２、ＳＰｘ）とトラステッドサービスマネジャ（ＴＳＭ）が、データ伝送プロトコルに従って互いにコンピュータネットワークを介して通信し、データ伝送プロトコルがＨＴＴＰＳである、請求項１に記載の方法。
【請求項３】
トラステッドサービスマネジャ（ＴＳＭ）が移動体通信装置（ＭＯ１、ＭＯｘ）と移動体ネットワーク事業者（ＭＮＯ）のＯｖｅｒ−Ｔｈｅ−Ａｉｒサービスを介して通信し、Ｏｖｅｒ−Ｔｈｅ−Ａｉｒサービスがショートメッセージサービスである、請求項１に記載の方法。
【請求項４】
少なくとも１つのサービスプロバイダ（ＳＰ１、ＳＰ２、ＳＰｘ）と、少なくとも１つのトラステッドサービスマネジャ（ＴＳＭ）と、少なくとも１つのサービスプロバイダ（ＳＰ１、ＳＰ２、ＳＰｘ）から提供される少なくとも１つのアプリケーション（ＡＰＰ１、ＡＰＰ２、ＡＰＰ４、ＡＰＰｘ）を保存するよう装備されている複数の移動体通信装置（ＭＯ１、ＭＯｘ）とを備え、
少なくとも１つのサービスプロバイダ（ＳＰ１、ＳＰ２、ＳＰｘ）、少なくとも１つのトラステッドサービスマネジャ（ＴＳＭ）、および移動体通信装置（ＭＯ１、ＭＯｘ）が、請求項１から３のいずれか一項に記載の方法のステップを行うための計算ユニットおよび手段を備える、遠隔通信システム。
【請求項５】
少なくとも１つのサービスプロバイダ（ＳＰ１、ＳＰ２、ＳＰｘ）と少なくとも１つのトラステッドサービスマネジャ（ＴＳＭ）が、データ伝送プロトコルに従って互いにコンピュータネットワークを介して通信し、データ伝送プロトコルがＨＴＴＰＳである、請求項４に記載のシステム。
【請求項６】
少なくとも１つのトラステッドサービスマネジャ（ＴＳＭ）が移動体通信装置（ＭＯ１、ＭＯｘ）と移動体ネットワーク事業者（ＭＮＯ）のＯｖｅｒ−Ｔｈｅ−Ａｉｒサービスを介して通信し、Ｏｖｅｒ−Ｔｈｅ−Ａｉｒサービスがショートメッセージサービスである、請求項４に記載のシステム。
【請求項７】
送信元移動体通信装置（ＭＯｘ、ＭＯ１）から、要求（ＳＲ）が共有／再販される少なくとも１つのアプリケーション（ＡＰＰ１、ＡＰＰ２、ＡＰＰｘ、ＡＰＰ４）および送信先移動体通信装置（ＭＯ１、ＭＯｘ）についての情報を含む共有または再販の要求（ＳＲ）を受信する手段と、
要求（ＳＲ）から共有／再販されるアプリケーション（ＡＰＰ１、ＡＰＰ２、ＡＰＰｘ、ＡＰＰ４）および送信先移動体通信装置（ＭＯ１、ＭＯｘ）を抽出する手段と、
アプリケーションがインストールされている移動体通信装置（ＭＯ１、ＭＯｘ）、およびアプリケーションを提供した少なくとも１つのサービスプロバイダ（ＳＰ１、ＳＰ２、ＳＰｘ）に関連付けられたアプリケーション（ＡＰＰ１、ＡＰＰ２、ＡＰＰｘ、ＡＰＰ４）についての情報を含むリポジトリ（ＲＥＰ）に接続する手段と、
リポジトリ（ＲＥＰ）から共有／再販されるアプリケーションを提供したサービスプロバイダ（ＳＰ１、ＳＰ２、ＳＰｘ）を検索する手段と、
アプリケーション（ＡＰＰ１、ＡＰＰ２、ＡＰＰｘ、ＡＰＰ４）の送信先移動体通信装置（ＭＯ１、ＭＯｘ）への再販または送信先移動体通信装置（ＭＯ１、ＭＯｘ）との共有が可能かどうかを照会するクエリ（ＱＵ）を前記サービスプロバイダ（ＳＰ１、ＳＰ２、ＳＰｘ）に送信する手段と、
サービスプロバイダ（ＳＰ１、ＳＰ２、ＳＰｘ）から受信したアプリケーション（ＡＰＰｘ’）の適合バージョンをセットアップメッセージ（ＳＵ）にコンパイルして、送信先移動体通信装置（ＭＯ１、ＭＯｘ）に送信する手段と、
サービスプロバイダのＳＰｘインストール命令（ＩＮＳＴ）に従って更新命令（ＵＰＤ）を送信元移動体通信装置（ＭＯｘ、ＭＯ１）に送信する手段と、
サービスプロバイダ（ＳＰ１、ＳＰ２、ＳＰｘ）のインストール命令（ＩＮＳＴ）および更新命令（ＵＰＤ）に従ってリポジトリ（ＲＥＰ）を更新する手段と
を備えた、トラステッドサービスマネジャ（ＴＳＭ）。
【請求項８】
少なくとも１つの移動体通信装置（ＭＯ１、ＭＯｘ）にトラステッドサービスマネジャ（ＴＳＭ）を介して少なくとも１つのアプリケーション（ＡＰＰ１、ＡＰＰ２、ＡＰＰｘ、ＡＰＰ４）を提供するようなされているサービスプロバイダ（ＳＰ１、ＳＰ２、ＳＰｘ）であって、
トラステッドサービスマネジャ（ＴＳＭ）からアプリケーション（ＡＰＰ１、ＡＰＰ２、ＡＰＰｘ、ＡＰＰ４）の送信先移動体通信装置（ＭＯ１、ＭＯｘ）への再販または送信先移動体通信装置（ＭＯ１、ＭＯｘ）との共有が可能かどうかを照会するクエリ（ＱＵ）を受信する手段と、
アプリケーション（ＡＰＰ１、ＡＰＰ２、ＡＰＰｘ、ＡＰＰ４）を送信先移動体通信装置（ＭＯ１、ＭＯｘ）と共有したり、または送信先移動体通信装置（ＭＯ１、ＭＯｘ）に再販したりすることが可能かどうかを確認することにより前記クエリ（ＱＵ）を処理する手段と、
肯定の場合には、インストール要求が共有／再販されるアプリケーションの適合バージョン（ＡＰＰｘ’）を含むインストール要求（ＩＮＳＴ）をトラステッドサービスマネジャ（ＴＳＭ）に送信する手段と、
送信元移動体通信装置（ＭＯｘ、ＭＯ１）で共有／再販されるアプリケーションとの進め方を指示する更新命令（ＵＰＤ）をトラステッドサービスマネジャ（ＴＳＭ）に送信する手段と
をさらに備えた、サービスプロバイダ。
【発明の詳細な説明】
【技術分野】
【０００１】
本発明は、送信元移動体通信装置に保存されているＮＦＣのアプリケーションを、送信先移動体通信装置と共有したり、または送信先移動体通信装置に再販したりする方法に関する。
【０００２】
本発明は、さらに少なくとも１つのサービスプロバイダ、少なくとも１つのトラステッドサービスマネジャ（Ｔｒｕｓｔｅｄ  Ｓｅｒｖｉｃｅ  Ｍａｎａｇｅｒ）、および複数の移動体通信装置、例えば、サービスプロバイダのＮＦＣのアプリケーションを保存するよう装備されている、ＮＦＣ携帯電話などを備える遠隔通信システムに関する。
【０００３】
本発明は、さらにトラステッドサービスマネジャに関する。
【０００４】
本発明は、さらにサービスプロバイダに関する。
【０００５】
本発明は、さらにメモリ装置が装備されている移動体通信装置のメモリに直接ロード可能なコンピュータプログラム製品に関する。
【０００６】
本発明は、さらに上記の項で言及したコンピュータプログラム製品を処理するようになされている移動体通信装置に関する。
【背景技術】
【０００７】
ＮＸＰ  Ｓｅｍｉｃｏｎｄｕｃｔｏｒｓにより開発され、ＭＩＦＡＲＥ（Ｒ）クラシックファミリなどの固有のメモリデバイスＩＤを有するメモリ装置、読み取り／書き込み機能付きの１３．５６ＭＨｚの周波数帯で動作する非接触型のスマートカードＩＣを含む移動体通信装置が知られている。最近、特にニアフィールドコミュニケーション（Ｎｅａｒ  Ｆｉｅｌｄ  Ｃｏｍｍｕｎｉｃａｔｉｏｎ）（ＮＦＣ）機能を持つ携帯電話および他の移動体通信装置での使用向けに、強化されたセキュリティ機能を提供するメモリ装置である安全なメモリ要素が開発されてきている。前記安全なメモリ要素は、「スマートカード」としても知られている。このような安全なメモリ要素の代表的な主要なものの１つは、複数のインターフェースオプションの有無に関係なく、高信頼性の解決策を必要とする高セキュリティのスマートカードアプリケーション向けのＮＸＰ  Ｓｅｍｉｃｏｎｄｕｃｔｏｒｓにより設計されたＳｍａｒｔＭＸ（Ｍｅｍｏｒｙ  ｅＸｔｅｎｓｉｏｎ）メモリカードファミリである。主なアプリケーションは、電子政府、バンキング／金融、移動体通信、および高度な公共交通機関である。ＳｍａｒｔＭＸアーキテクチャは、ＲＳＡ、ＥＣＣ、ＤＥＳ、およびＡＥＳのコプロセッサを組み合わせることで、Ｊａｖａ（登録商標）  Ｏｐｅｎ  ＰｌａｔｆｏｒｍおよびＭＵＬＴＯＳを含む、オペレーティングシステムの実装を可能にしている。ユーザーオペレーティングシステムによって実装された他の非接触型伝送プロトコルと同時にＭＩＦＡＲＥプロトコルを実行するＳｍａｒｔＭＸカードの機能によって、新しいサービスとＭＩＦＡＲＥに基づく既存のアプリケーション（発券など）を組み合わせたものを、スマートカードに基づく単一のデュアルインターフェースコントローラで実現することができる。ＳｍａｒｔＭＸカードはＭＩＦＡＲＥクラシック装置をエミュレートできるので、このインターフェースと、インストールされた何らかのＭＩＦＡＲＥクラシックインフラストラクチャとの間で互換性を持たせることができる。非接触型インターフェースを使用すると、何らかのプロトコル、特にＭＩＦＡＲＥプロトコルや自己定義された非接触型伝送プロトコルを介して通信することができる。ＳｍａｒｔＭＸでは、最新技術オペレーティングシステムやＪＣＯＰ（Ｊａｖａ（登録商標）  Ｃａｒｄ  Ｏｐｅｒａｔｉｎｇ  Ｓｙｓｔｅｍ）などのオープンプラットフォームソリューションを簡単に実装することができるので、最高レベルのセキュリティと共に最適な機能セットを提供できる。
【０００８】
２００７年２月に、ＧＳＭ  Ａｓｓｏｃｉａｔｉｏｎ（ＧＳＭＡ）はモバイルＮＦＣ（ニアフィールドコミュニケーション）サービスの開発に関係するエコシステムパーティ向けのオペレータコミュニティガイダンスを概説するホワイトペーパーを発表した。モバイルＮＦＣは、ＮＦＣ技術に基づき、非接触型サービスとモバイルテレフォニを組み合わせたものとして定義される。ハードウェアベースのセキュリティＩＤトークン（ＵＩＣＣ）を搭載した携帯電話は、ＮＦＣのアプリケーションに対して理想的な環境を提供することができる。ＵＩＣＣは物理カードに取って代わることができ、このようにして、サービスプロバイダのコストを最適化し、より便利なサービスをユーザーに提供することができる。モバイルＮＦＣエコシステムには、異なる各種エンティティが関係している。これらは、以下のように定義されている：
・顧客−移動体通信およびモバイルＮＦＣサービス用の移動体装置を使用する。顧客はＭＮＯに加入し、モバイルＮＦＣサービスを利用する。
・移動体ネットワーク事業者（ＭＮＯ）−全範囲の移動体サービスを顧客に提供するが、特に、ＵＩＣＣおよびＮＦＣ端末に、Ｏｖｅｒ  Ｔｈｅ  Ａｉｒ（ＯＴＡ）伝送サービスを加えたものを提供する。
・サービスプロバイダ（ＳＰ）−非接触型サービスを顧客に提供する（ＳＰは、例えば、銀行、公共交通機関の企業、ロイヤリティプログラムの所有者など）。
・小売業者／小売商−サービス依存、例えば、ＮＦＣ対応の販売時点管理（ＰＯＳ）が可能なＮＦＣ端末を稼動する。
・トラステッドサービスマネジャ（ＴＳＭ）−サービスプロバイダのサービスをＭＮＯ顧客ベースに安全に配布および管理する。
・ハンドセット、ＮＦＣチップセット、およびＵＩＣＣ製造業者−モバイルＮＦＣ／通信装置および関連ＵＩＣＣハードウェアを製造する。
・読み取り装置製造業者−ＮＦＣ読み取り装置を製造する。
・アプリケーション開発者−モバイルＮＦＣのアプリケーションを設計し開発する。
・標準化団体および業界フォーラム−ＮＦＣのグローバル規格を策定し、ＮＦＣのアプリケーションとサービスの相互運用性、下位互換性、および今後の開発を可能にする。
【０００９】
前記ホワイトペーパーの重要な発見の１つは、モバイルＮＦＣエコシステムが安定している場合に、モバイルＮＦＣは正常に機能して、モバイルＮＦＣエコシステム内のすべてのエンティティに値を提供し、トラステッドサービスマネジャの新しいロールを採用することにより、モバイルＮＦＣが効果的であるということである。
【００１０】
トラステッドサービスマネジャ（ＴＳＭ）のロールは次のとおりである：
・サービスプロバイダがＭＮＯにより顧客ベースにアクセスするための単一交信点を提供する。
・サービスプロバイダの代わりに、モバイルＮＦＣのアプリケーションの安全なダウンロードおよびライフサイクルマネージメントを管理する。
【００１１】
ＴＳＭは、サービスのトランザクション段階には関与しないので、サービスプロバイダの既存のビジネスモデルが妨害されるようなことはまったくない。国内市場のニーズと状況に応じて、ＴＳＭは、１つのＭＮＯ、ＭＮＯの共同事業体、または独立した信頼できる第三者機関によって管理されるようにすることができる。１つの市場で運営するＴＳＭの数は、国内市場のニーズと環境により異なる。
【００１２】
銀行、公共交通機関の企業、ロイヤリティプログラムの所有者などのサービスプロバイダは、非接触型サービスを、ＮＦＣ携帯電話などの移動体通信装置でこれらのサービスを利用する加入顧客に提供する。非接触型サービスは、「アプリケーション」や「サービス」という一般用語により包含できる、交通機関用パス、映画のチケット、クーポンなどの提供などを含む。以下の説明で、「アプリケーション」という用語は、すべての非接触型サービスおよびアプリケーション、特にＮＦＣサービスおよびアプリケーションを含む広い意味で使用される。
【００１３】
顧客は、例えば、サービスプロバイダのウェブサイトからアプリケーションを申し込むことにより、サービスプロバイダからアプリケーションを購入する。購入手順の過程で、顧客は、例えばＮＦＣ携帯電話の電話番号など、自分の移動体通信装置の固有ＩＤ番号を入力し、それによって、サービスプロバイダはアプリケーションの送り先を明確に認識する。サービスプロバイダは、購入されたアプリケーションを、サービスプロバイダのアプリケーションを安全に配布および管理し、アプリケーションを移動体通信装置に送信するトラステッドサービスマネジャを介して顧客の移動体通信装置に送信する。
【００１４】
アプリケーションが移動体通信装置により受信されると、アプリケーションは移動体通信装置の安全なメモリ要素に保存され、例えば、ユーザーにコンサートホールへの入場権限を付与するなど、適切な形式でアプリケーションを読み取って処理する読み取り装置の伝送範囲内に移動体通信装置を配置することによって、顧客により消費されることが可能になる。
【発明の概要】
【発明が解決しようとする課題】
【００１５】
本発明は、上記で参照されたＧＳＭＡホワイトブックで開示されているようなトラステッドサービスマネジャ（ＴＳＭ）を備えるモバイルＮＦＣエコシステムに適用される。詳細には、サービスプロバイダがＭＮＯにより顧客ベースにアクセスするための単一交信点として機能し、サービスプロバイダの代わりにモバイルＮＦＣのアプリケーションの安全なダウンロードおよびライフサイクルマネージメントを管理するＴＳＭの特定のロールを考慮に入れるものである。しかしながら、ＧＳＭＡホワイトブックではＴＳＭのロールを理論的に定義しているが、実際に首尾よく適用するためには、なお克服すべきいくつかの障害や課題がある。本発明による取り組みが必要な課題は、顧客が自分の移動体通信装置に保存しているアプリケーションを友人や親族などの他の人々と共有または再販することが望ましいということである。技術的観点からすると、このアプリケーションの共有または再販は、一方の移動体通信装置から他方の移動体通信装置に（ブルートゥース、ＮＦＣ、ＷＩＦＩなどを利用して）アプリケーションを送信することにより直接行うことが可能なはずであるが、そのような直接の共有は、トラステッドサービスマネジャの概念に照らすと、次の問題の原因となる。アプリケーションの共有／再販に関する１番目の課題は、サービスプロバイダから提供される（引き続き、多分、サービスプロバイダにより所有される）このアプリケーションが特定の１人の顧客またはその顧客の移動体通信装置にそれぞれ固有のものである可能性があり、そのため、他の移動体通信装置では機能しないということである。アプリケーションの共有／再販のために克服すべき２番目の課題は、サービスプロバイダとトラステッドサービスマネジャ双方が管理しているアプリケーションの共有／再販を認識している必要があるということである。サービスプロバイダ（特に、引き続きアプリケーションの所有者の場合）は、顧客がそのようにする権限を付与する必要がある。また、サービスプロバイダがアプリケーションの共有／再販の対象顧客に課金する技術的な可能性を有している必要があるということも考慮に入れられている。
【００１６】
本発明の目的は、顧客の間および移動体通信装置の間それぞれで、サービスプロバイダが移動体ネットワーク事業者により顧客ベースにアクセスするための単一交信点であり、サービスプロバイダの代わりに、アプリケーションの安全なダウンロードおよびライフサイクルマネージメントを管理するトラステッドサービスマネジャの概念を侵害することなく、ＮＦＣサービスのようなアプリケーションを共有または再販するためのメカニズムを提供することである。
【課題を解決するための手段】
【００１７】
上記で定義された目的を達成するために、本発明による方法で、本発明による方法が以下で定義される形式であることを特徴とできるような特徴的な要素が提供される。
【００１８】
送信元移動体通信装置に保存されているアプリケーションを、送信先移動体通信装置と共有したり、または送信先移動体通信装置に再販したりする方法で、その方法は：
送信元移動体通信装置で、共有／再販されるアプリケーションおよび送信先移動体通信装置についての情報を含む共有または再販の要求をトラステッドサービスマネジャに送信することと、
トラステッドサービスマネジャで、要求から共有／再販されるアプリケーションおよび送信先移動体通信装置を抽出し、アプリケーションがインストールされている移動体通信装置、および前記アプリケーションを提供したサービスプロバイダに関連付けられたアプリケーションについての情報を含むリポジトリに接続し、リポジトリから共有／再販されるアプリケーションを提供したサービスプロバイダを検索し、アプリケーションの送信先移動体通信装置への再販または送信先移動体通信装置との共有が可能かどうかを照会するクエリを前記サービスプロバイダに送信することと、
サービスプロバイダで、アプリケーションを送信先移動体通信装置と共有したり、または送信先移動体通信装置に再販したりすることが可能かどうかを確認することにより前記クエリを処理し、肯定の場合には、共有／再販されるアプリケーションの適合バージョンを含むインストール要求をトラステッドサービスマネジャに送信し、送信元移動体通信装置で共有／再販されるアプリケーションとの進め方を指示する更新命令をトラステッドサービスマネジャに送信することと、
トラステッドサービスマネジャで、適合されたアプリケーションをセットアップメッセージにコンパイルして、送信先移動体通信装置に送信し、更新命令を送信元移動体通信装置に送信し、サービスプロバイダのインストール命令および更新命令に従ってリポジトリを更新することと、
送信先移動体通信装置で、セットアップメッセージに従ってアプリケーションをインストールすることと、
送信元移動体通信装置で、更新命令に従って保存されたアプリケーションを更新することとを含む。
【００１９】
上記で定義された目的を達成するために、本発明による遠隔通信システムで、本発明による遠隔通信システムが以下で定義される形式であることを特徴とできるような特徴的な要素が提供される。
【００２０】
少なくとも１つのサービスプロバイダ、少なくとも１つのトラステッドサービスマネジャ、およびサービスプロバイダによって提供されるアプリケーションを保存するよう装備されている、ＮＦＣ携帯電話などの複数の移動体通信装置を備える遠隔通信システムで、サービスプロバイダ、トラステッドサービスマネジャ、および移動体通信装置が上記方法のステップを行うための計算ユニットおよびソフトウェアコード部分を備える。
【００２１】
上記で定義された目的を達成するために、本発明によるトラステッドサービスマネジャで、本発明によるトラステッドサービスマネジャが以下で定義される形式であることを特徴とできるような特徴的な要素が提供される。
【００２２】
トラステッドサービスマネジャは、次のようになされている：
共有／再販されるアプリケーションおよび送信先移動体通信装置についての情報を含む共有または再販の要求を送信元移動体通信装置から受信し、
要求から共有／再販されるアプリケーションおよび送信先移動体通信装置を抽出し、
アプリケーションがインストールされている移動体通信装置、および前記アプリケーションを提供したサービスプロバイダに関連付けられたアプリケーションについての情報を含むリポジトリに接続し、
リポジトリから共有／再販されるアプリケーションを提供したサービスプロバイダを検索し、
アプリケーションの送信先移動体通信装置への再販または送信先移動体通信装置との共有が可能かどうかを照会するクエリを前記サービスプロバイダに送信し、
サービスプロバイダから受信した適合されたアプリケーションをセットアップメッセージにコンパイルして、送信先移動体通信装置に送信し、
サービスプロバイダのＳＰｘインストール命令に従って更新命令を送信元移動体通信装置に送信し、サービスプロバイダのインストール命令および更新命令に従ってリポジトリを更新する。
【００２３】
上記で定義された目的を達成するために、本発明によるサービスプロバイダで、本発明によるサービスプロバイダが以下で定義される形式であることを特徴とできるような特徴的な要素が提供される。
【００２４】
トラステッドサービスマネジャを介してアプリケーションを移動体通信装置に提供するようなされたサービスプロバイダで、サービスプロバイダは、さらに次のようになされている：
トラステッドサービスマネジャからアプリケーションの送信先移動体通信装置への再販または送信先移動体通信装置との共有が可能かどうかを照会するクエリを受信し、
アプリケーションを送信先移動体通信装置と共有したり、または送信先移動体通信装置に再販したりすることが可能かどうかを確認することにより前記クエリを処理し、肯定の場合には、共有／再販されるアプリケーションの適合バージョンを含むインストール要求をトラステッドサービスマネジャに送信し、送信元移動体通信装置で共有／再販されるアプリケーションとの進め方を指示する更新命令をトラステッドサービスマネジャに送信する。
【００２５】
上記で定義された目的を達成するために、本発明によるコンピュータプログラム製品で、本発明によるコンピュータプログラム製品が以下で定義される形式であることを特徴とできるような特徴的な要素が提供される。
【００２６】
サービスプロバイダから移動体通信装置に提供されているアプリケーションを保存するために、メモリ装置が装備されている移動体通信装置のメモリに直接ロード可能であるコンピュータプログラム製品で、そのコンピュータプログラム製品は、移動体通信装置での実行時に、次のステップを行うソフトウェアコード部分を備える：
共有／再販されるアプリケーションおよび送信先移動体通信装置についての情報を含む共有または再販の要求をトラステッドサービスマネジャに送信するステップと、
トラステッドサービスマネジャのセットアップメッセージに従ってアプリケーションをメモリ装置にインストールするステップと、
トラステッドサービスマネジャの更新命令に従って、メモリ装置に保存されているアプリケーションを更新するステップとである。
【００２７】
上記で定義された目的を達成するために、本発明による移動体通信装置は算術論理演算ユニットとメモリとを備えており、上記の項に従ってコンピュータプログラム製品を処理する。
【００２８】
本発明による特徴的な要素は、サービスプロバイダの顧客が自分の移動体通信装置にインストールしたＮＦＣサービスなどのアプリケーションを、他の顧客および他の顧客の移動体通信装置それぞれと、サービスプロバイダが移動体ネットワーク事業者により顧客ベースにアクセスするための単一交信点であるというトラステッドサービスマネジャの概念を侵害することなく、共有または再販できるようにするという利点を提供する。
【００２９】
請求項２、請求項３、請求項５、または請求項６で請求する方法は、それぞれ、十分定義された高度にアクセス可能なネットワークインフラストラクチャおよびサービスに依存する利点を提供する。
【００３０】
上記で定義された態様および本発明の別の態様は、これ以後記述される例示的な実施形態から明らかであり、この例示的な実施形態を参照して説明される。
【００３１】
本発明は、例示的な実施形態を参照して、これ以後より詳細に記述される。しかしながら、本発明はこの例示的な実施形態に限定されるわけではない。
【図面の簡単な説明】
【００３２】
【図１】本発明が組み込まれている遠隔通信システムおよび本発明による方法の各ステップの概略図である。
【図２】本発明による方法の各ステップが完了したときの、遠隔通信システムの状態の概略図である。
【発明を実施するための形態】
【００３３】
図１は、上記で参照されたＧＳＭＡホワイトブックで開示されているようなモバイルＮＦＣエコシステムを図で示している。システムは、移動体ネットワーク事業者ＭＮＯ、いくつかのサービスプロバイダＳＰ１、ＳＰ２、ＳＰｘ、移動体通信装置ＭＯ１、ＭＯｘ、およびトラステッドサービスマネジャ  ＴＳＭを含む。移動体通信装置ＭＯ１は、移動体ネットワーク事業者ＭＮＯで移動体通信装置ＭＯ１を登録している顧客ＣＵ１に割り当てられている。移動体通信装置ＭＯｘは、移動体ネットワーク事業者ＭＮＯで移動体通信装置ＭＯｘを登録している顧客ＣＵｘに割り当てられている。移動体ネットワーク事業者ＭＮＯは、全範囲の移動体サービスを顧客ＣＵ１、ＣＵｘおよび移動体通信装置ＭＯ１、ＭＯｘにそれぞれ提供するが、特に、ＵＩＣＣおよびＮＦＣ端末に、移動体通信装置ＭＯ１、ＭＯｘ向けのＯｖｅｒ  Ｔｈｅ  Ａｉｒ（ＯＴＡ）伝送サービスを加えたものを提供する。移動体通信装置ＭＯ１、ＭＯｘには、メモリ装置ＭＩＦｘにアプリケーションＡＰＰ１、ＡＰＰ２、ＡＰＰｘおよびメモリ装置ＭＩＦ１にアプリケーションＡＰＰ４を安全に保存するようなされているメモリ装置ＭＩＦ１、ＭＩＦｘが装備されている。メモリ装置ＭＩＦ１、ＭＩＦｘには、有利にはＭＩＦＡＲＥメモリカード（例えば図１で示されているようなＭＩＦＡＲＥ標準１ｋメモリカード）またはＳｍａｒｔＭＸカードなどのスマートカードを備える。前記メモリ装置ＭＩＦ１、ＭＩＦ２が装備された移動体通信装置ＭＯ１、ＭＯｘは、好ましくはＮＦＣ携帯電話として構成されている。例えば、アプリケーションＡＰＰ１はサービスプロバイダＳＰ１から提供され、アプリケーションＡＰＰ２およびＡＰＰ４はサービスプロバイダＳＰ２から提供され、アプリケーションＡＰＰｘはサービスプロバイダＳＰｘから提供される。サービスプロバイダＳＰ１、ＳＰ２、ＳＰｘは、例えば、銀行、公共交通機関の企業、ロイヤリティプログラムの所有者などである。
【００３４】
トラステッドサービスマネジャ  ＴＳＭは、以下でより詳細に説明するように、サービスプロバイダＳＰ１、ＳＰ２、ＳＰｘのアプリケーションＡＰＰ１、ＡＰＰ２、ＡＰＰ４、ＡＰＰｘを移動体ネットワーク事業者ＭＮＯの顧客ベースに安全に配布および管理する。
【００３５】
サービスプロバイダ、例えばサービスプロバイダＳＰｘが新しいアプリケーションＡＰＰｘ（チケット、入場管理、クーポンなど）を移動体通信装置ＭＯｘのメモリ装置ＭＩＦｘにインストールすることを望む場合、サービスプロバイダは第１の通信チャネルＣ１を介してインストール要求ＩＮＳＴをトラステッドサービスマネジャ  ＴＳＭに送信する。インストール要求ＩＮＳＴには、インストールされるアプリケーションＡＰＰｘ、サービスプロバイダＳＰｘのＩＤ、および割り当てられた電話番号などのターゲット移動体通信装置ＭＯｘの固有ＩＤが含まれている。第１の通信チャネルＣ１は、例えば、インターネットなどのコンピュータネットワークとして構成される。本例のサービスプロバイダＳＰｘとトラステッドサービスマネジャ  ＴＳＭ間の好適なデータ伝送プロトコルはＨＴＴＰＳである。通常、サービスプロバイダＳＰｘは顧客ＣＵｘから移動体通信装置ＭＯｘの固有ＩＤを取得する。例えば、顧客ＣＵｘがサービスプロバイダＳＰｘのウェブサイトを介してチケット（つまり、アプリケーションＡＰＰｘ）を申し込み、この申し込みを完了するためには、自分の移動体通信装置ＭＯｘの電話番号をオンラインフォームに入力する必要がある。
【００３６】
トラステッドサービスマネジャ  ＴＳＭは、サービスプロバイダＳＰｘからインストール要求ＩＮＳＴを受信すると、アプリケーションＡＰＰｘおよび移動体通信装置ＭＯｘのＩＤを抽出し、移動体通信装置ＭＯｘのメモリ装置ＭＩＦｘがＭＩＦＡＲＥメモリであれば、自由裁量でメモリ装置ＭＩＦｘの１つ以上の送信先セクタおよび関連セクタキーを割り当てる。次に、トラステッドサービスマネジャ  ＴＳＭはアプリケーションＡＰＰｘ、セクタキー、および送信先セクタのセクタ番号をセットアップメッセージＳＵにコンパイルする。セキュリティを強化するために、トラステッドサービスマネジャ  ＴＳＭはセットアップメッセージＳＵを暗号化することができる。次に、トラステッドサービスマネジャ  ＴＳＭは、第２の通信チャネルＣ２、例えば、移動体ネットワーク事業者ＭＮＯのＯｖｅｒ−ｔｈｅ−ａｉｒ（ＯＴＡ）サービスを介して、セットアップメッセージＳＵを移動体通信装置ＭＯｘに送信する。現在、好適なＯＴＡサービスはＳＭＳである。携帯電話ＭＯｘには、必要に応じて最初に復号化し、受信したセットアップメッセージＳＵから全データを抽出するよう設計され、抽出したセクタキーを使用して抽出したアプリケーションＡＰＰｘをメモリ装置ＭＩＦｘの割り当てられた送信先セクタに書き込むように実行するソフトウェアアプリケーションがある。
【００３７】
さらに、トラステッドサービスマネジャ  ＴＳＭは、サービスプロバイダＳＰｘからインストール要求ＩＮＳＴを受信し、アプリケーションＡＰＰｘおよび移動体通信装置ＭＯｘのＩＤを抽出すると、特定の移動体通信装置ＭＯｘと関連付けられたすべてのサービスプロバイダＳＰｘを検索できるように、これらのデータをリポジトリＲＥＰにさらに書き込む（ＷＲＴ）。図１に示されているリポジトリＲＥＰには、現在、サービスプロバイダＳＰ２から配布され、移動体通信装置ＭＯ１に割り当てられている１つのアプリケーションＡＰＰ４、およびサービスプロバイダＳＰ１、ＳＰ２、およびＳＰｘからそれぞれ配布され、移動体通信装置ＭＯｘに割り当てられている３つのアプリケーションＡＰＰ１、ＡＰＰ２、ＡＰＰｘが含まれている。リポジトリＲＥＰは、例えば、データベース、ファイルシステムなどとして構成することが可能なはずである。
【００３８】
本発明によると、顧客ＣＵｘは、例えば、アプリケーションＡＰＰｘを顧客ＣＵ１に対して共有または再販することを望む場合、アプリケーションＡＰＰｘおよび顧客ＣＵ１の送信先移動体通信装置ＭＯ１を選択し（例えば、一連のキーストロークを入力すること、または移動体通信装置ＭＯｘのユーザーインターフェースのメニューから選択することのいずれかで）、移動体通信装置ＭＯｘが要求ＳＲをトラステッドサービスマネジャ  ＴＳＭに送信するようにして、移動体通信装置ＭＯ１に対してアプリケーションＡＰＰｘを共有または再販する。トラステッドサービスマネジャ  ＴＳＭは、アプリケーションＡＰＰｘを検索（ＲＴＲ）して、提供元のサービスプロバイダを見つけ出し（現在の例では、サービスプロバイダＳＰｘ）、アプリケーションＡＰＰｘの送信先移動体通信装置ＭＯ１への再販または送信先移動体通信装置ＭＯ１との共有が可能かどうかを照会するクエリＱＵをサービスプロバイダＳＰｘへ送信する。サービスプロバイダＳＰｘが了承する場合、元のアプリケーションの適合バージョンＡＰＰｘ’、固有ＩＤ（すなわちＳＰｘ）、およびターゲット移動体通信装置ＭＯ１の固有ＩＤを含むインストール要求ＩＮＳＴを送信する。さらに、サービスプロバイダはトラステッドサービスマネジャ  ＴＳＭに、送信元移動体通信装置ＭＯｘでのアプリケーションＡＰＰｘとの進め方の指示の更新命令ＵＰＤを送信する。更新命令は、例えば、送信元移動体通信装置ＭＯｘからアプリケーションＡＰＰｘを削除する、またはアプリケーションＡＰＰｘに含まれている値（例えば、残りのチケットの数）を更新する命令を含む。
【００３９】
トラステッドサービスマネジャ  ＴＳＭは、サービスプロバイダＳＰｘの命令に従ってリポジトリＲＥＰを更新する。トラステッドサービスマネジャ  ＴＳＭは、さらに適合されたアプリケーションＡＰＰｘ’、および必要に応じてセクタキーとメモリ装置ＭＩＦ１のターゲットのセクタ番号をセットアップメッセージＳＵにコンパイルして、移動体ネットワーク事業者ＭＮＯを介して送信先移動体通信装置ＭＯ１に送信する。また、トラステッドサービスマネジャ  ＴＳＭは、移動体ネットワーク事業者ＭＮＯを介して更新命令ＵＰＤも送信元移動体通信装置ＭＯｘに送信する。
【００４０】
図２は、共有／再販要求完了後のモバイルＮＦＣエコシステムの状態を示している。更新命令は削除命令であるものとしている。アプリケーションＡＰＰｘが送信元移動体通信装置ＭＯｘのメモリ装置ＭＩＦｘから削除され、適合されたアプリケーションＡＰＰｘ’が送信先移動体通信装置ＭＯｘのメモリ装置ＭＩＦ１に保存されていることを見ることができる。さらに、リポジトリの情報もそれに従って更新されている。
【００４１】
上記で言及した実施形態は、本発明を限定するものではなく例証するに過ぎず、当業者ならば、添付請求項の範囲を逸脱することなく、多くの代替の実施形態を設計することが可能であることを留意すべきである。請求項で、括弧間に配置されたすべての参照記号は、請求項を限定するものとして解釈されるべきではない。「含む（備える）」という用語は、請求項で表示されているもの以外の要素またはステップの存在を排除するものではない。要素の前の不定冠詞「ａ」または「ａｎ」は、そのような要素が複数存在することを排除するものではない。装置の請求項で、列挙しているいくつかの手段、これらの手段の一部は、同一のハードウェアで実現されるようにすることができる。特定の手段が相互に異なる従属請求項で列挙されていることは、これらの手段の組み合わせが利点のために使用できないことを示すものではない。
【図１】
0005651473.tif 000002
【図２】
0005651473.tif 000003